(57)【要約】【課題】屋外側の外側目地から浸み込んだ水を外部に適切に排出する。【解決手段】垂直スリット３の外側目地１１にはコーキング材１２とバックアップ材１３と水抜縦通路１４および水抜パイプ１５が設けられ、コーキング材１２などの経年劣化によって柱１と壁２とコーキング材１２との間に生じた隙間１７；１８から浸み込んだ水はバックアップ材１３に残留することなく外側目地棒受体６とバックアップ材１３との間の隙間１９から水抜縦通路１４および水抜パイプ１５を経由して外部に適切に排水され、冬季においてコーキング材１２などに亀裂が入らず、水抜縦通路１４は外側目地棒受体６とバックアップ材１３とで囲まれた縦長な筒状の空間として形成されており、水抜縦通路１４を構成する部材が必要なく、構造が簡単になる。【選択図】図１
2008291468.tif 000002
【特許請求の範囲】
【請求項１】
壁と柱との取り合いに設けられたスリット構造体と、スリット構造体の屋外側に設けられた外側目地と、屋外側に配置されて外側目地に設けられたコーキング材と、コーキング材の背面に配置されて外側目地に設けられたバックアップ材と、バックアップ材とスリット構造体の外側目地棒受体とで囲まれた縦長な筒状の空間として外側目地に設けられた水抜縦通路と、水抜縦通路で下方に誘導された水を外側目地よりも屋外側の外部に排水するように外側目地の下端部に設けられた水抜パイプとを備えたことを特徴とする耐震スリット。
【請求項２】
外側目地が屋外側から内側に行くにしたがって幅が狭くなるように形成されたことを特徴とする請求項１記載の耐震スリット。
【発明の詳細な説明】
【技術分野】
【０００１】
本発明は、屋外側の外側目地から浸み込んだ水が外部に適切に排出できる簡単な構造の耐震スリットに関する。
【背景技術】
【０００２】
耐震スリットは、免震スリットとも呼ばれ、地震のとき、鉄筋コンクリート構造体にねじれが生じないように、壁と柱または梁との縁を切るため設けられる装置である。耐震スリットには、壁と柱との取り合いに設けられる垂直スリット、壁と梁との取り合いに設けられる水平スリットが存在する。図７は、特許文献１で開示された垂直スリット５１である。図７において、垂直スリット５１におけるスリット構造体５２には、水抜路形成体５３が設けられる。水抜路形成体５３は、柱１や壁２を構成するコンクリートに埋め込まれ、当該部分に水抜縦通路５４を形成する。垂直スリット５１における外側目地１１には、コーキング材１２およびバックアップ材５５が充填される。外側目地１１の下端部には、閉塞板５６および水抜パイプ５７が設けられる。そして、コーキング材１２などの経年劣化によって、コーキング材１２と柱１または壁２との間に隙間５８；５９が発生すると、雨水などの水が隙間５８；５９から内部に浸み込むことがある。しかしながら、バックアップ材５５が吸水性を有する素材で構成されて浸み込んだ水の大半を吸収する構造であり、バックアップ材５５で吸収しきれない水がスリット構造体５２と柱１または壁２との間の隙間６０；６１から水抜縦通路５４と閉塞板５６および水抜パイプ５７を経由して外部に排水される構造である。このため、バックアップ材５５が水を吸収した時期が冬季などの場合、水がバックアップ材５５の内部で氷結して体積膨張し、亀裂がコーキング材１２に入るという欠点がある。しかも、水抜縦通路５４を構成する水抜路形成体５３が必要であることから、構造が複雑になるという欠点もある。
【特許文献１】特開２００２−７２０２１０号公報
【特許文献２】特開平１０−３０３３８号公報
【発明の開示】
【発明が解決しようとする課題】
【０００３】
発明が解決しようとする問題点は、コーキング材などの経年劣化に伴い浸み込んだ水がバックアップ材に残留するうえ、構造が複雑であるという点である。
【課題を解決するための手段】
【０００４】
本発明に係る耐震スリットは、壁と柱との取り合いに設けられたスリット構造体と、スリット構造体の屋外側に設けられた外側目地と、屋外側に配置されて外側目地に設けられたコーキング材と、コーキング材の背面に配置されて外側目地に設けられたバックアップ材と、バックアップ材とスリット構造体の外側目地棒受体とで囲まれた縦長な筒状の空間として外側目地に設けられた水抜縦通路と、水抜縦通路で下方に誘導された水を外側目地よりも屋外側の外部に排水するように外側目地の下端部に設けられた水抜パイプと、を備えたことを最も主要な特徴とする。外側目地が屋外側から内側に行くにしたがって幅が狭くなるように形成されてもよい。
【発明の効果】
【０００５】
本発明に係る耐震スリットは、コーキング材などの経年劣化によってコーキング材と柱または壁との間に生じた隙間から浸み込んだ水は、バックアップ材と外側目地棒受体との間の隙間から水抜縦通路および水抜パイプを経由して屋外側の外部に適切に排水されるという利点があるうえ、水抜縦通路がバックアップ材を外側目地に設ける場合にバックアップ材とスリット構造体の外側目地棒受体とで囲まれた縦長な筒状の空間として形成されるので、水抜縦通路を構成する部材が必要なく、構造が簡単になるという利点がある。外側目地が屋外側から内側に行くにしたがって幅が狭くなるように形成されれば、バックアップ材が水抜縦通路を閉鎖しないように外側目地に適切に設置されるという利点がある。
【発明を実施するための最良の形態】
【０００６】
図１乃至図４は、発明を実施するための最良の形態である。図１のａ図は、垂直スリット３の外観を示す。図１のｂ図は、図１のａ図をＡ−Ａ線に沿って切断した断面を示す。図２乃至図４は、垂直スリット３の施工工程を示す。
【０００７】
図１を参照し、耐震スリットについて、相対峙する一対の柱側壁としての柱１と腰壁としての壁２との取り合いに設けられる垂直スリット３を例として説明する。図１のａ図およびｂ図に示すように、垂直スリット３におけるスリット構成体４は、柱１と壁２との取り合いに入れられ、心材５に外側目地棒受体６および内側目地棒受体７（図２のステップ１０２参照）を備える。心材５は、ポリスチレンフォームやセラミックファイバーなどをアルミシートで被覆した板状に形成される。外側目地棒受体６は、硬質塩化ビニルなどから構成され、心材５の外縁部に固定され、外側に開口しかつ内部に窪む縦長な凹部を形成する。外側目地棒受体６には、止水ゴム８および側溝９を備える。内側目地棒受体７には、側溝１０（図２のステップ１０２参照）を備える。
【０００８】
図１に戻り、垂直スリット３における外側目地１１は、柱１と壁２と外側目地棒受体６とで囲まれかつ屋外側に開口しかつ内部に窪む縦長な凹部として、柱１と壁２との取り合いに形成される。外側目地１１には、コーキング材１２とバックアップ材１３と水抜縦通路１４および水抜パイプ１５が設けられる。コーキング材１２は、屋外側に配置され、例えば、アクリル系、ウレタン系、シリコン系などの合成樹脂から構成される。バックアップ材１３は、コーキング材１２の背面に接触して配置され、例えば、発泡ポリエチレンフォームやウレタンフォームなどから構成される。水抜縦通路１４は、外側目地棒受体６とバックアップ材１３とで囲まれた縦長な筒状の空間として形成される。水抜パイプ１５は、外側目地１１の下端部に配置されかつ梁としての床スラブ１６の上に設置される。水抜パイプ１５の底面１５ａは、水を屋外側に誘導する水勾配を構成している。
【０００９】
そして、コーキング材１２などの経年劣化によって、柱１と壁２とコーキング材１２との間に隙間１７；１８が発生し、水が隙間１７；１８に浸み込んだとしても、当該浸み込んだ水はバックアップ材１３に残留することなく外側目地棒受体６とバックアップ材１３との間の隙間１９を経由して水抜縦通路１４に到達する。水抜縦通路１４に到達した水は、図１のｂ図に矢印Ｘで示すように、水抜縦通路１４から下方に誘導されて水抜パイプ１５を経由して外部に適切に排水されるという利点がある。そのため、冬季などでも、水が上記隙間１７乃至１９で氷結することがなく、当該水の体積膨張による亀裂がコーキング材１２やバックアップ材１３などに入らないという利点がある。仮に、バックアップ材１３に水が吸収されて氷結による体積膨張を生じたとしても、体積膨張が水抜縦通路１４に収まるので、亀裂がコーキング材１２に起こらないという利点がある。また、水抜縦通路１４がバックアップ材１３を外側目地１１に設ける場合にバックアップ材１３とスリット構造体４の外側目地棒受体６とで囲まれた縦長な筒状の空間として形成されたので、水抜縦通路１４を構成する部材が必要なく、構造が簡単になるという利点がある。
【００１０】
図２乃至図４を参照し、垂直スリット３を施工する工程について説明する。図２のステップ１０１において、外側型枠２１が、床スラブ１６の上に設置される。その場合、外側型枠２１の目地形成部分には、目地棒２２が固定され、ステップ１０２に進む。ステップ１０２では、スリット構成体４が設置される。スリット構成体４の心材５には、振止棒孔２３が形成される。そして、外側目地棒受体６における屋外側の凹部が目地棒２２に差し込まれ、ステップ１０３に進む。
【００１１】
ステップ１０３では、補強金具２５がスリット構成体４に設置される。補強金具２５は、台座２６とねじ棒２７およびクリップ２８を備える。よって、台座２６が心材５の側面にあてがわれて一方向に回転され、台座２６の両端部がスリット構成体４の側溝９；１０に差し込まれた後、ねじ棒２７の一端部が台座２６の中央部に取り付けられ、クリップ２８がねじ棒２７の台座２６から側方に突出した他端部に取り付けられ、ステップ１０４に進む。ステップ１０４では、セパレータ３１がクリップ２８に差し込まれ、図３のステップ１０５に進む。ステップ１０５では、ステップ１０４の補強金具２５やセパレータ３１に干渉しない位置において、振止棒３２が、心材５の振止棒孔２３に差し込まれ、壁配筋３３に番線３４で固定され、ステップ１０６に進む。
【００１２】
ステップ１０６において、内側型枠３６の目地形成部分には目地棒３７が固定され、ステップ１０７に進む。ステップ１０７では、内側目地棒受体７における住戸側の凹部が目地棒３７に差し込まれ、内側型枠３６が外側型枠２１と対向しかつ梁側としての床スラブ１６の上に設置され、図外のボルトが外側型枠２１の屋外側から外側型枠２１を貫通してセパレータ３１に締結され、別の図外のボルトが内側型枠３６の住戸側から内側型枠３６を貫通してセパレータ３１に締結されることによって、外側型枠２１および内側型枠３６がセパレータ３１で締められ、ステップ１０８に進む。ステップ１０８では、コンクリート３８がスリット構成体４と床スラブ１６と外側型枠２１および内側型枠３６で囲まれた空間に上方から打設され、ステップ１０７の補強金具２５と振止棒３２とセパレータ３１と壁配筋３３および番線３４がコンクリート３８に埋め込まれた状態となる。
【００１３】
そして、打設されたコンクリート３８が固まると、前記図外のボルトが外側型枠２１や内側型枠３６およびセパレータ３１から外され、外側型枠２１および内側型枠３６がコンクリート３８から外され、目地棒２２；３７が外側目地棒受体６や内側目地棒受体７から外される。これによって、ステップ１０９に示すように、外側目地１１が、柱１と壁２と外側目地棒受体６とで囲まれかつ屋外側に開口しかつ内部に窪む縦長な凹部として、柱１と壁２との取り合いに形成される。外側目地１１は、屋外側から内側に行くにしたがって幅Ｌが徐々に狭くなるように形成される。つまり、外側目地１１における相対峙する側面が、屋外側から内側に行くにしたがって徐々に互いに近くなるような斜面を構成する。また、内側目地３９が、柱１と壁２と内側目地棒受体７とで囲まれかつ住戸側に開口しかつ内部に窪む縦長な凹部として、柱１と壁２との取り合いに形成される。
【００１４】
その後、図４のステップ１１０において、水抜パイプ１５が外側目地１１の下端部に配置されかつ床スラブ１６の上に設置される。水抜パイプ１５は、屋外側と住戸側との方向に貫通する筒状であって、取水口４０を備える。取水口４０は、水抜パイプ１５における住戸側の上壁を除去した形態である。その後、ステップ１１１において、外側目地１１には、バックアップ材１３が水抜縦通路１４を形成するように設けられた後、コーキング材１２が設けられる。これによって、図１に示す形態の柱１と壁２との取り合いに設けられる垂直スリット３が完成する。
【００１５】
バックアップ材１３としては、外側目地１１の屋外側と内側との中間に設置される横幅を有する帯状を有する板状に構成されている。この帯状のバックアップ材１３が上下方向に延びるように、かつ、バックアップ材１３の横幅がステップ１１１に示すように外側目地１１における屋外側から内側に行くにしたがって徐々に狭くなる幅Ｌを屋外側と内側との中間部で閉鎖するように、バックアップ材１３が外側目地１１に屋外側から内側に向けて押し込まれることによって、バックアップ材１３が外側目地１１の屋外側と内側との中間部に設置されることによって、水抜縦通路１４が外側目地棒受体６とバックアップ材１３とで囲まれた縦長な筒状の空間として外側目地１１に設けられる。つまり、外側目地１１が屋外側から内側に行くにしたがって幅Ｌが徐々に狭くなるように形成されているので、バックアップ材１３が水抜縦通路１４を閉鎖しないように外側目地１１に適切に設置されるという利点がある。
【産業上の利用可能性】
【００１６】
図５および図６は、発明を実施するための異なる形態である。図５のａ図は、垂直スリット３および水平スリット４１の外観を示す。図５のｂ図は、図５のａ図をＢ−Ｂ線に沿って切断した断面を示す。図６は、垂直スリット３および水平スリット４１の施工途中の外観を示す。
【００１７】
図５を参照し、垂直スリット３および水平スリット４１からなる耐震スリットについて説明する。図５のａ図およびｂ図に示すように、水平スリット４１は、柱１と床スラブ１６との取り合いや壁２と床スラブ１６との取り合いに設けられる。水平スリット４１におけるスリット構成体４２は、ポリエチレン独立発泡体やロックウールなどをアルミシートで被覆した板状に形成される。スリット構成体４２における屋外側には、止水ゴム４３および外側目地４４を備える。止水ゴム４３は、垂直スリット３における止水ゴム８の真下に配置される。止水ゴム８と止水ゴム４３との取り合いには、図外のリーリング材が塗布される。外側目地４４は、柱間における壁２と床スラブ１６の上面とで囲まれかつ屋外側に開口しかつ内部に窪む横長な凹部として、柱１と床スラブ１６との取り合いや壁２と床スラブ１６との取り合いに形成される。外側目地４４には、コーキング材４５が設けられる。
【００１８】
図６を参照し、垂直スリット３および水平スリット４１の施工途中の一形態について説明する。床スラブ１６の上には、スリット構成体４２が設置された後、外側型枠２１と補強金具２５とセパレータ３１と内側型枠３６およびスリット構成体４などが設置される。外側型枠２１には、垂直スリット３に対応する目地棒２２に加え、水平スリット４１に対応する目地棒４６が設けられる。そして、コンクリート３８が外側型枠２１と内側型枠３６とスリット構成体４；４２とで囲まれた空間に上方から打設される。打設されたコンクリート３８が固まると、外側型枠２１と内側型枠３６や目地棒２２；３７；４６が外されることによって、外側目地１１；４４（図５のａ図参照）や内側目地３９（図３のステップ１０８参照）が形成される。その後、図５に示すように、外側目地１１にはコーキング材１２とバックアップ材１３および水抜縦通路１４が設けられ、外側目地４４にはコーキング材４５が充填される。これによって、図５に示す形態の垂直スリット３および水平スリット４１が完成する。
【００１９】
図２のステップ１０３、図３のステップ１０５、図６において、補強金具２５、セパレータ３１、振止棒３２は、スリット構成体４が図３のステップ１０８で打設されるコンクリート３８からの側圧で変形しないように、複数設けられ、また、柱１の側にも設けられる。図１において、外側目地１１が屋外側から内側に行くにしたがっても幅Ｌが狭くなることなく、外側目地１１における相対峙する側面が屋外側から内側に行くにしたがっても互いに平行に対向する平面を構成してもよい。
【図面の簡単な説明】
【００２０】
【図１】ａ図は垂直スリットの斜視図、ｂ図はＡ−Ａ線断面図（最良の形態）。
【図２】垂直スリットを施工する工程図（最良の形態）。
【図３】垂直スリットを施工する工程図（最良の形態）。
【図４】垂直スリットを施工する工程図（最良の形態）。
【図５】ａ図は垂直スリットおよび水平スリットの斜視図、ｂ図はＢ−Ｂ線断面図（異なる形態）。
【図６】垂直スリットおよび水平スリットを施工する一工程図（異なる形態）。
【図７】垂直スリットの斜視図（従来）。
【符号の説明】
【００２１】
１は柱、２は壁、３は垂直スリット、４はスリット構成体、５は心材、６は外側目地棒受体、７は内側目地棒受体、８は止水ゴム、９は側溝、１０は側溝、１１は外側目地、１２はコーキング材、１３はバックアップ材、１４は水抜縦通路、１５は水抜パイプ、１５ａは水抜パイプ１５の底面、１６は床スラブ、１７乃至１９は隙間、２０は欠番、２１は外側型枠、２２は目地棒、２３は振止棒孔、２４は欠番、２５は補強金具、２６は台座、２７はねじ棒、２８はクリップ、２９；３０は欠番、３１はセパレータ、３２は振止棒、３３は壁配筋、３４は番線、３５は欠番、３６は内側型枠、３７は目地棒、３８はコンクリート、３９は内側目地、４０は取水口、４１は水平スリット、４２はスリット構成体、４３は止水ゴム、４４は外側目地、４５はコーキング材、４６は目地棒、４７乃至５０は欠番、５１は垂直スリット、５２はスリット構造体、５３は水抜路形成体、５４は水抜縦通路、５５はバックアップ材、５６は閉塞板、５７は水抜パイプ、５８乃至６１は隙間、Ｌは外側目地１１の幅。
【図１】
2008291468.tif 000003
【図２】
2008291468.tif 000004
【図３】
2008291468.tif 000005
【図４】
2008291468.tif 000006
【図５】
2008291468.tif 000007
【図６】
2008291468.tif 000008
【図７】
2008291468.tif 000009